(57)【要約】本発明は、情報通信回線、及び／または、それに接続した末端装置の使用の管理方法に関する。本発明は、上記回線上で稼働するブロードバンドサービスへのアクセスに対する回線の使用を制御することで、ブロードバンドサービス（例えばＡＤＳＬ）のアクセス要求に対する上記回線のセットアップの制御、上記アクセスに対する上記回線の使用時間の測定、上記アクセスの終わりや、不正の発覚における上記回線の切断の制御を行う。本発明は、公衆の電話システム、特に公衆使用のためのインターネット端末に適用することができる。
2004509516.tif 000002
【特許請求の範囲】
【請求項１】
ユーザからの出資金や定額手数料なしに、情報通信回線、及び／または、それに接続した端末の使用の管理方法であって、
当該回線上で稼働されるブロードバンドサービスへのアクセスのために回線の使用を制御して、
ブロードバンドサービス（例えばＡＤＳＬ）への各アクセス要求のための上記回線をセットアップし、
上記各アクセスのための当該回線の使用時間を測定し、
上記各アクセスの停止時や不正の発覚時において上記回線を切断することを特徴とする管理方法。
【請求項２】
上記回線の使用の制御は、ブロードバンドに使用される周波数から離れた周波数でなされることを特徴とする請求項１に記載された回線の使用の管理方法。
【請求項３】
上記回線の使用の制御は、ブロードバンドに使用される周波数と同じ周波数でなされることを特徴とする請求項１に記載された回線の使用の管理方法。
【請求項４】
上記回線は、当該回線のブロードバンドサービスのアクセスのために、セットアップされ、切断されることを特徴とする請求項１ないし３のいずれか１項に記載された回線の使用の管理方法。
【請求項５】
上記制御は、アクセス期間に測定される使用時間における回線の使用に対する支払いの制御を含むことを特徴とする請求項１ないし４のいずれか１項に記載された回線の使用の管理方法。
【請求項６】
上記制御は、代金請求のチェックを含むことを特徴とする請求項１ないし５の何れか１項に記載された回線の使用の管理方法。
【請求項７】
上記制御は、回線に接続した端末の状態のチェックを含むことを特徴とする請求項１ないし６の何れか１項に記載された回線の使用の管理方法。
【請求項８】
上記制御は、アプリケーションソフトのダウンロードを含むことを特徴とする請求項１ないし７の何れか１項に記載された回線の使用の管理方法。
【請求項９】
少なくとも１つの情報通信回線、及び／または、それに接続した少なくとも１つの端末の使用の管理システムであって、
ブロードバンドサービス（例えばＡＤＳＬ）にアクセスするための要求を伴って、回線をセットアップすることのできる接続のセットアップと切断とを制御し、そして、停止時か不正の発覚時には回線を切断する制御装置（ＥかＵＲ）と、
上記アクセス期間における回線の使用時間を測定する装置（ＤかＵＲ）とを含むことを特徴とする管理システム。
【請求項１０】
上記制御装置は、利用者装置の端末の稼働をチェックする装置を含むことを特徴とする請求項９に記載された少なくとも１つの回線の使用の管理システム。
【請求項１１】
上記管理システムは、利用者装置との接続装置を含み、情報通信回線及び／または端末は、その接続装置に割り当てられることを特徴とする請求項１０に記載された少なくとも１つの回線の使用の管理システム。
【請求項１２】
上記制御装置と端末との間の接続装置は、低速回線（ＳＴＮやＩＳＤＮ）を含むことを特徴とする請求項１１に記載された少なくとも１つの回線の使用の管理システム。
【請求項１３】
上記制御装置と端末との間の接続装置は、高速回線（ｘＤＳＬ、例えば、ＡＤＳＬ）を含むことを特徴とする請求項１１に記載の管理システム。
【請求項１４】
上記管理システムは、少なくとも１つのブロードバンドサービス回線と公衆網との間に、接続インターフェイス（Ｄ）を有することを特徴とする請求項９ないし１３のいずれか１項に記載の管理システム。
【請求項１５】
上記管理システムは、回線の切断及びセットアップの装置（ＤかＵＲ）を有することを特徴とする請求項９ないし１４のいずれか１項に記載の管理システム。
【請求項１６】
上記インターフェイス（Ｄ）は、回線の切断及びセットアップの装置を含み、利用者装置に設置されていることを特徴とする請求項１４または１５に記載の管理システム。
【請求項１７】
上記インターフェイス（Ｄ）は、公衆網に設置され、利用者装置から制御されることを特徴とする請求項１６に記載の管理システム。
【請求項１８】
上記制御装置（ＵＲ）は、切断及びセットアップの装置（ＣＲ）を含み、それらは利用者装置に設置されていることを特徴とする請求項９および１５に記載の管理システム。
【発明の詳細な説明】
本発明は、情報通信回線、及び／または、それに接続した端末の管理及び使用方法に関するものである。
【０００１】
本発明は、特に、高速アクセスにも適しているブロードバンドアクセスができる利用者の装置のための情報通信回線に適用される。以下の本明細書中では、すべてにわたって、「ブロードバンド」と「高速」サービスという用語は区別なく引用するものとする。これは、特にカード式公衆電話（Ｐｕｂｌｉｐｈｏｎｉｅ）に適用でき、特に、公衆に提供されたインターネット端末に適用することができる。
【０００２】
利用者の装置は、ナローバンド（狭帯域）サービス（ｓｗｉｔｃｈｅｄ ｔｅｌｅｐｈｏｎｅ ｎｅｔｗｏｒｋ ＳＴＮへのアクセス）や、アナログかＩＳＤＮデジタルネットワークに繋がっており、また、ブロードバンドサービス（ｘＤＳＬやホームＰＮＡ）にアクセスすることができる。
【０００３】
ここで、利用者の装置はＣｕｓｔｏｍｅｒ Ｐｒｅｍｉｓｅｓ Ｎｅｔｗｏｒｋ（ＣＰＮ）であることを念頭に置いておく。
【０００４】
これらは、家庭では、Ｎｅｔｗｏｒｋ Ｉｎｔｅｒｆａｃｅ Ｄｅｍａｒｃａｔｉｏｎ（ＮＩＤ）から始まり、すべてのケーブル、銅ペア及び電話コネクタを含んでいる。これらは、ナローバンドサービスとブロードバンドサービスとへのアクセスネットワークに（多分ＰＡＢＸのようなアクティブ設備を通して）繋がっている。実際には、これらは、電話と遠隔のコンピュータ装置とであり、コンピュータ装置は、電話、ファックス、留守番電話、モデムあるいはアナログやデジタル（ＩＳＤＮ）の全てのタイプの装置、といった１つあるいはいくつかのナローバンド端末を含む電話ネットワーク、そして、ＤＳＬかホームＰＮＡ技術に基づいた１つあるいはいくつかのブロードバンド端末に接続している。
【０００５】
ブロードバンドサービスは、ナローバンドサービス（すなわち、電話通信やＩＳＤＮ）よりも高い一定の周波数の帯域で伝送されるサービスであり、すなわち、１０ｋＨｚ以上の周波数でおこなわれる。典型的には、これらは、ｘＤＳＬネットワークを通して提供される、あるいは、例えば、プライベートホームＰＮＡシステムに基づいているサービスである。ホームＰＮＡ（Ｈｏｍｅ Ｐｈｏｎｅｌｉｎｅ Ｎｅｔｗｏｒｋｉｎｇ Ａｌｌｉａｎｃｅ）は、１９９８年に、電話同士の伝送システムの仕様を結合させるために設立されたコンソーシアムである。
【０００６】
ここで、ＳＤＳＬ、ＡＤＳＬ、ＡＤＳＬ−ｌｉｔｅ、ＶＤＳＬといった全ての技術ファミリーを含んだブロードバンドサービスを引用する用語ｘＤＳＬを使用するものとする。
【０００７】
現在まで、ブロードバンドサービスにアクセスするための情報通信回線、あるいは、これに繋がったブロードバンド端末の使用は、出資金を基に行われていた。そして、回線は、出資金が支払われた後セットアップされ、出資金が取り止められると切断される。請求総額は、出資金により支払われ、ブロードバンドサービスにアクセスするための回線の使用時間は考慮されない。
【０００８】
目下のところ、公衆に、インターネットへアクセスできる情報通信端末（公衆エリアで利用可能な）を提供することが、要求されている。この要求では、端末の各ユーザに対しての使用に関した代金請求の問題と、概して、回線と端末との使用の制御の問題とが持ち上がってくる。現時点でこの問題に対する解決策はないことは、まったくもって明らかである。
【０００９】
本発明は、この問題を解決するためのものである。
【００１０】
本発明は、ブロードバンドサービスのための情報通信回線の使用の管理に利用され、特に、使用時間に基づいた代金請求をすることができる。
【００１１】
本発明の主な目的は、より明確には、情報通信回線、及び／または、それに接続した端末の使用の管理方法を提供することであって、その方法は、主に以下の各ステップを含むことで特徴付けられる。
【００１２】
すなわち、当該回線上で稼働されるブロードバンドサービスへのアクセスのために回線の使用を制御するステップ、これは以下のステップを行うためであり、
ブロードバンドサービス（例えばＡＤＳＬ）への各アクセス要求のための上記回線をセットアップするステップ、
上記各アクセスのための回線の使用時間を測定するステップ、
上記各アクセスの停止時や不正の発覚時において上記回線を切断するステップ、を含むことで特徴付けられている。
【００１３】
他の特徴としては、上記回線の使用の制御が、ブロードバンドの周波数から離れた周波数においてなされてもよいことが挙げられる。
【００１４】
他の特徴としては、上記回線の使用の制御が、ブロードバンドに使用される周波数と同じ周波数でなされてもよいことが挙げられる。
【００１５】
他の特徴としては、上記回線が、当該回線のためのブロードバンドサービスへアクセスするためにセットアップされ、切断されることが挙げられる。
【００１６】
他の特徴としては、上記制御は、アクセス期間に測定される使用時間における回線の使用に対する支払の制御を含むことが挙げられる。
【００１７】
上記制御は、代金請求のチェックも含む。
【００１８】
上記制御は、回線に繋がれた端末の稼動のチェックも含む。
【００１９】
上記制御は、端末へのアプリケーションソフトのダウンロードを含んでもよい。
【００２０】
本発明は、少なくとも１つの情報通信回線、及び／または、それと接続した少なくとも１つの端末の使用の管理システムであって、以下の装置を含むことで特徴付けられる。
【００２１】
すなわち、ブロードバンドサービス（例えばＡＤＳＬ）にアクセスするための要求を伴って、回線をセットアップすることのできる接続のセットアップと切断とを制御し、そして、停止時か不正の発覚時には回線を切断する制御装置と、
上記アクセス期間における回線の使用時間を測定する装置とを含むことを特徴としている。
【００２２】
他の特徴としては、上記制御装置は、利用者装置の端末の稼働をチェックする装置を含むことが挙げられる。
【００２３】
他の特徴としては、上記管理システムは、利用者装置との接続装置を含み、情報通信回線及び／または端末は、その接続装置に割り当てられることが挙げられる。
【００２４】
他の特徴としては、上記制御装置と端末との間の接続装置は、低速回線（ＳＴＮやＩＳＤＮ）を含んでもよいことが挙げられる。
【００２５】
他の特徴としては、上記制御装置と端末との間の接続装置は、高速回線（ｘＤＳＬ、例えば、ＡＤＳＬ）を含んでもよいことが挙げられる。
【００２６】
他の特徴としては、上記管理システムは、少なくとも１つのブロードバンドサービス回線と公衆網との間に、接続インターフェイス（ＤＳＬＡＭ）を有することが挙げられる。
【００２７】
他の特徴としては、回線の切断及びセットアップの装置を有することが挙げられる。
【００２８】
他の特徴としては、接続インターフェイスは、回線の切断及びセットアップの装置を含み、利用者装置に設置されていることが挙げられる。
【００２９】
他の特徴としては、インターフェイスは、公衆網に設置され、利用者装置から制御されることが挙げられる。
【００３０】
他の特徴としては、上記制御装置が切断及びセットアップの装置（ＣＲ）を有し、それらが利用者装置に設置されていることが挙げられる。
【００３１】
本発明の他の際立った特徴と利点とは、実例的な用途のための以下の記載を読むことによって、はっきりするであろう。そして、添付図面への言及によって、限定されることはない。
【００３２】
本発明に係る第１の実施例を図１に示す。本発明によれば、管理システムは、ブロードバンドサービスにアクセスしているとき、ＬＴ回線の切断とセットアップとを行う装置を有している。これらの装置は、制御装置により制御されるデバイスＤと監理装置Ｅとからなる。
【００３３】
本明細書では、以下で、回線がブロードバンドサービスに使用される際には、セットアップあるいは切断について、述べるものとする。全てのサービス、主にとりわけ、ナローバンドサービスのために、回線を切断することは必要ではなく、特に、後述する実施例によると、ナローバンドサービスを、例えば、ｓｗｉｔｃｈｅｄ ｔｅｌｅｐｈｏｎｅ ｎｅｔｗｏｒｋ（ＳＴＮ）回線を通して、端末を制御するために使用することになっている。
【００３４】
デバイスＤは、第１に公衆網に繋げられており、第２に利用者網（カスタマーネットワーク）Ｌ３１に繋げられている。公衆網への接続は、コネクタＣＸで行われる。このコネクタＣＸは、公衆網Ｒでの高速伝送回線のデバイスに接続している。この伝送回線は、例えば、非同期伝送回線ＡＴＭであってもよい。デバイスＤは、制御回線Ｌ２を通して監理装置Ｅにも接続されている。
【００３５】
デバイスＤは、利用者網でのブロードバンド回線、換言すれば、本図で回線Ｌ３１として示されているＡＤＳＬタイプの回線へのいくつかの接続ポイントを有してもいる。この回線は、情報通信回線ＬＴ上で帯域（ナローバンドとブロードバンド）を分離するフィルタＦ１から出ている。このフィルタは、別のフィルタＦ２に、情報通信回線ＬＴを通して繋げられている。フィルタＦ２は、端末方向へのネットワークにおいて、この情報通信回線ＬＴを通して伝送されたナローバンドとブロードバンドとを分離することができる。
【００３６】
そして、端末Ｔは、ＡＤＳＬモデムであるモデムＭ２とＡＤＳＬ回線Ｌ３２とを通して、フィルタＦ２に接続されている。端末Ｔは、ナローバンドサービス、すなわち、ＳＴＮネットワークにも、モデムＭ１とナローバンド回線Ｌ１２とを通して、フィルタＦ２に接続されている。
【００３７】
監理装置Ｅは、利用者網ｒにおいて端末を監理している。それゆえに、この装置は、第１に、回線Ｄのセットアップと切断とのためのデバイスを制御すると同時に、端末の制御、すなわち、これら端末の支払い装置の制御、そして、
代金請求の監理、端末の状態のチェック及び必要に応じて端末へのアプリケーションプログラムのダウンロードをするように設計されている。
【００３８】
好都合にも、回線がブロードバンドサービスにアクセスしているとき、回線を切断及びセットアップする機能を得るために、使用されるデバイスは、接続を切断及び復元するために使用されるＤＳＬＡＭと呼ばれる普及している工業装置である。通常、このタイプの装置は、申し込み者がサービスに加入するように、そして、申し込み者の出資金がキャンセルされると接続を絶つように、設計され、使用されている。この場合、上記機能は、ブロードバンドサービスにアクセス要求がある場合、接続をセットアップし、そして、アクセスが終わったら接続を切断するのに使用される。
【００３９】
このデバイスＤは、アクセス期間の回線使用時間の測定にも使用される。このように、装置Ｅは、要求され、実行されたブロードバンドサービス期間の回線の使用時間について、実際の時間をチェックすることができ、そして、測定された使用時間中の回線の使用に相当する代金の請求を制御する。
【００４０】
このデバイスＤは、利用者網ｒにある間、端末から離すことのできる装置Ｅのように、局地か遠隔地かのどちらで制御されていてもよい。全ての場合において、ＤＳＬＡＭのようなデバイスは、制御か遠隔制御のために使用できるインターフェイスを所有している。例えば、これらのデバイスに使用することのできるインターフェイスは、ＲＳ２３２ローカルポートとイーサネット（イーサネットは登録商標）ポートを含んでいる。
【００４１】
ＤＳＬＡＭと制御装置との間のコミュニケーションのプロトコルは、このＤＳＬＡＭデバイスのメーカーにより規定される。
【００４２】
これらのインターフェイスには、デバイスにおけるチャンネルの稼働と停止とができる可能性がある。チャンネルが活動している、あるいは、停止している際の命令は、監理装置Ｅにより与えられ、監理装置Ｅは、端末Ｔにより送られたアクセス要求を受け取る。図１に示される第１の実施例によると、アクセス要求は、ナローバンド回線、つまり、ＳＴＮ回線Ｌ１２及びＬ１１を通して監理装置に伝達される。
【００４３】
情報通信回線ＬＴは、ＤＳＬＡＭと呼ばれる普及している工業装置を通して、公衆網と、特に、高速ネットワーク（例えば、ＡＴＭ）とに接続している。
【００４４】
図１に示す実施例では、この装置Ｄは個人専用であり、つまり利用者網ｒにあり、上記デバイスからのアウトプットチャンネルは、従来型のコネクションネットワークＣＸを通して公衆網での情報通信回線Ｌに繋がっている。別の実施例では、このデバイスＤは、公衆網Ｒにあり、利用者網ｒによって制御されてもよい。
【００４５】
このように、実施例が示すように、デバイスＤは、回線上でのブロードバンドプロセスのサービスへのアクセス期間中、回線ＬＴの切断及びセットアップの機能を果たす。そして、デバイスＤは、公衆網Ｒへのこれらアクセスと接続との期間の使用時間の測定を行い、そして、制御装置Ｅにより制御される。
【００４６】
装置Ｅは、設備の中で、端末Ｔの監理をすることができ、上述したようにこれらの端末とのコネクションとして機能する。端末Ｔがブロードバンドサービスにアクセスしようとするとき、装置Ｅは、回線Ｌ２を通して、デバイスＤに対する“ブロードバンド”回線ＬＴの開始を制御する。端末Ｔがアクセスを停止すると、装置Ｅは、“ブロードバンド”回線ＬＴを切断するようにデバイスＤを制御する。デバイスＤは、回線に対して、相当した使用時間を提供することができる。
【００４７】
図１に示す実施例によると、利用者網は、回線ＬＴを通して、ナローバンドへのアクセス、すなわち、ｓｗｉｔｃｈｅｄ ｔｅｌｅｐｈｏｎｅ ｎｅｔｗｏｒｋへのアクセス、そして、ブロードバンドさらには高速サービス（例えばＡＤＳＬ）へのアクセスを供する、１つあるいはいくつかの情報通信端末Ｔを含んでいてもよい。
【００４８】
構成要素を単純にするため、本図は、１つの情報通信端末Ｔを示している。利用者網Ｒが、いくつかの端末Ｔを有している場合には、これらの端末は、図示されない他の電話回線ＬＴに接続される。
【００４９】
より詳細には、装置Ｅは、情報通信回線ＬＴと装置Ｅとの間を接続する電話回線Ｌ１１（ＳＴＮ）に接続したＳＴＮモデムを有している。電話回線Ｌ１１は、この目的のため、帯域分離フィルタＦ１のナローバンドのアウトプット（電話帯域）へ接続されている。このバンドフィルタからのブロードバンドのアウトプットは、ブロードバンド回線Ｌ３１を通してデバイスＤに接続されている。
【００５０】
装置Ｅはまた、デバイスＤにコマンドを与えることができ、回線Ｌ３１の切断と開始との制限、支払い監理のための機能の使用、端末が正確に機能しているかの監理、そして、多分アプリケーションプログラムのダウンロードをすることのできるコントロールユニットＵＣを有している。このユニットＵＣは、この目的のための監理機能を稼働するために１つあるいはいくつかのプログラムを有している。言い換えれば、端末ユーザの本人確認のための手続きが使用され（それ自体の中で、従来の手続きである）、これは、測定された使用時間とデバイスＤによるアウトプットとの関数として作られる請求総額の計算に適用される代金請求のチェックのためである。実際に、請求センターを通して送られるデータは、装置Ｅにより制御される。
【００５１】
次に、図２に別の実施例が示される。これは、第１の実施例の端末に類似しているが、端末は、高速ブロードバンドコネクションを通して監理される。明らかに、この場合、低速回線に相当する要素、すなわち、モデムＭ１と回線Ｌ１１及びＬ１２は、もはや必要ではない。装置Ｅは、ブロードバンドサービスへのアクセス回線に、直接接続されている。
【００５２】
さらに、ＡＤＳＬサービスのナローバンドとブロードバンドとの分離フィルタＦ１、Ｆ２は、本実例に係る構成では、もはや必要ではない。これらのフィルタは、破線で囲まれている。
【００５３】
本発明によると、管理システムに対する第２の実施例もある。この第２の実施例は、図３に示される。本実施例では、回線のセットアップ及び切断を行うための装置は公衆網に、従って、利用者網の外に、設置される。
【００５４】
利用者網は、高速接続ユニットを通して公衆網と接続している。このユニットＵＲは、第１の実施例での装置Ｅと同様に、利用者網の端末の監理のための機能を有しており、そして、公衆網への接続の機能と、情報通信回線Ｌ３１のセットアップ及び切断を行う機能とを有している。
【００５５】
これをなし遂げるために、接続ユニットには、システムユニットＵＣ、公衆網管理システムに通信している通信（コミュニケーション）ユニットＣＣ、及び高速回線（ＡＤＳＬ）を切断する中継器ＣＲが備えられている。
【００５６】
１つあるいは複数の端末Ｔは、低速通信回線（Ｌ３）（ＳＴＮやＩＳＤＮ電話回線）を通して監理される。これは、上記回線Ｌ３と接続をするために、接続ユニットＵＲ中のＭＶモデム（組み込まれている）によって行われる。従来のｓｗｉｔｃｈｅｄ ｔｅｌｅｐｈｏｎｅ ｎｅｔｗｏｒｋモデム（例えばＶ２３からＶ９０）が、端末側に設置されたＭ２及び高速接続ユニットＵＲに設置された他のＭＶと共に、監理のために使用されてもよい。上記したように、この場合、このモデムは、ユニットＵＲのなかに統合されていてもよい。
【００５７】
端末の監理のために使用されるＳＴＮ電話回線での全てのケースにおいて、音声通信を可能にするために、ｉｎｆｒａ−ｖｏｉｃｅあるいはｓｕｐｅｒ−ｖｏｉｃｅ（言い換えれば、３００Ｈｚより低い帯域、あるいは、３４００Ｈｚより高いが１０か１２ｋＨｚまでの帯域）で、管理シグナルを伝送することができなければならない。
【００５８】
高速接続ユニットＵＲは、高速回線（ＡＤＳＬ）を切断するローカルスイッチの中のデバイスＤのアウトプットサイドに設置される。デバイスＤは、この場合、公衆網での高速回線Ｌ（ＡＴＭ）に関連した機能のために、使用される。
【００５９】
図３に示す本実施例によると、端末は、低速回線Ｌ３及びＬ１２を通して、接続ユニットＵＲにより監理される。それゆえ、ブロードバンドサービスとナローバンドサービスとをフィルタするための帯域分離フィルタＦ１が、必要である。
【００６０】
本実施例とは別の実施例を考慮に入れてもよい。例えば、図４、５及び６に対応する別の例である。
【００６１】
その結果として、図４に示される別の実施の形態は、常に高速接続ユニットを有しているが、図３に示されるフィルタＦ１により供される帯域分離フィルタする作業を必要とはしない。
【００６２】
監理は、ｓｗｉｔｃｈｅｄ ｎｅｔｗｏｒｋ ＣＡＡを通して行われる。この場合、高速通信の外で、接続ユニットは、ネットワークＲを通過する低速シグナルのみが許される回線上で、ｌｏｗ ｐａｓｓ ｆｉｌｔｅｒ（低送フィルタ）ＢＦを使用するように設計されている。明らかに、この低送フィルタＢＦは、接続ユニットＵＲ中に含まれていてもかまわない。接続ユニットＵＲは、高速通信が通過することを許可されないと、高速通信（支払い方法の管理するため）はあり得ないという場合に、端末Ｔをこのように監理することができる。接続ユニットのＭＶモデムと端末のＭ２モデムとの通信は、２つのモデムのうちの１つを使うか、あるいは、常設の方法を使用して行われる。
【００６３】
接続ユニットＵＲは、高速通信を確立するために、上述の低送フィルタＢＦの効力をなくす。この場合、高速シグナル（ＡＤＳＬやＳＤＮ）が、伝送される。
【００６４】
図５は、第２の実施例（図３）とは別の実施例を示している。これは、利用者網ｒの中の１つ、あるいは、複数の端末は、一般的なｓｗｉｔｃｈｅｄ ｎｅｔｗｏｒｋＣＡＡを通すことなく、直接監理されていることに一致している。そして、本実施例は、図４に示した実施例とは、別の形態である。
【００６５】
デバイスＤに連結したフィルタＦ１からのアウトプットは、一般的なｓｗｉｔｃｈｅｄ ｎｅｔｗｏｒｋ ＣＡＡを通すことなく、直接、接続ユニットＵＲに送られる。電話回線Ｌ０（仮ＳＴＮ）、つまり、低速回線は、常時セットアップしている。この回線は、ｓｗｉｔｃｈｅｄ ｎｅｔｗｏｒｋを通過しない。この回線を作るのに、Ｖ２３やＶ９０モデムが使用されていてもかまわない。
【００６６】
図６に示される別の実施例は、ブロードバンド回線（高速ＡＤＳＬ）を通して監理を行うことができる。この監理は、ＬＴ回線自体であるＡＤＳＬにより行われてもかまわない。提示された構造は、そこで、図６に示されるようなものになる。電話回線Ｌ５（ＳＴＮ）は、使用されない。帯域分離フィルタＦ１及びＦ２は、それゆえ、効果がない。ここでは、これらは、破線の中に示されている。
【００６７】
本構成を使用するための形態は、高速回線での通信の監理を重ねて行うことができる。これは、接続ユニットＵＲ間に配置され、端末に接続した高速モデム間の直接ダイアログによりなされる。ダイアログは、端末と高速ユニットとの間でセットアップされることが可能である。
【００６８】
実際には、高速モデムＭＡは、ユニットＵＲ中に統合され、別のモデムＭ２は、端末のブロードバンドアウトプットに接続される。
【００６９】
しかし、このダイアログは、デバイスＤに伝送されることはない。それゆえ、接続ユニットはダイアログをフィルタし、そして、デバイスＤにそれを伝送しない。
【００７０】
フィルタする作業は、ソフトウェアによってなされてもよい。ＩＰ（Ｉｎｔｅｒｎｅｔ Ｐｒｏｔｏｃｏｌ）タイプのアドレス指定の使用をすることで、解決することができる。特別なポート（ＩＰセンス）が使用される。全てのデータは、記録され、ネットワークに送信されるデータは、伝送され、監理ダイアログに特有のデータは、ない。接続ユニットデータをフィルタして伝送する容量を持っている必要がある。
【００７１】
フィルタする作業は、ネットワークにより、同じブロードバンド回線でのナローバンド通信とブロードバンド通信とを監理することで、行われる。ｘＤＳＬ上の音声（ＶｏＤＳＬ）技術は、この目的のために再利用できるテクニックを提供する。
【図面の簡単な説明】
【図１】
第１の実施の形態に係る管理システムを表す図である。
【図２】
第１の実施の形態とは別の実施の形態にかかる管理システムを表す図である。
【図３】
第２の実施の形態に係る管理システムを表す図である。
【図４】
第２の実施の形態に関する別の実施の形態を表す図である。
【図５】
第２の実施の形態に関する別の実施の形態を表す図である。
【図６】
第２の実施の形態に関する別の実施の形態を表す図である。
【図１】
2004509516.tif 000003
【図２】
2004509516.tif 000004
【図３】
2004509516.tif 000005
【図４】
2004509516.tif 000006
【図５】
2004509516.tif 000007
【図６】
2004509516.tif 000008
【国際公開パンフレット】
2004509516.tif 000009
2004509516.tif 000010
2004509516.tif 000011
2004509516.tif 000012
2004509516.tif 000013
2004509516.tif 000014
2004509516.tif 000015
2004509516.tif 000016
2004509516.tif 000017
2004509516.tif 000018
2004509516.tif 000019
2004509516.tif 000020
2004509516.tif 000021
2004509516.tif 000022
2004509516.tif 000023
2004509516.tif 000024
2004509516.tif 000025
2004509516.tif 000026
2004509516.tif 000027
2004509516.tif 000028
2004509516.tif 000029
2004509516.tif 000030
2004509516.tif 000031
2004509516.tif 000032
2004509516.tif 000033
2004509516.tif 000034
2004509516.tif 000035
【手続補正書】
【提出日】平成14年12月9日(2002.12.9)
【手続補正１】
【補正対象書類名】明細書
【補正対象項目名】特許請求の範囲
【補正方法】変更
【補正の内容】
【特許請求の範囲】
【請求項１】
ユーザからの出資金や定額手数料なしに、情報通信回線（ＬＴ）及び／またはそれに接続した端末（Ｔ）の使用の管理方法であって、
１０ｋＨｚよりも大きな一定の周波数でのサービスに対するアクセスのために回線の使用を制御し、サービスは当該回線上で稼動し、当該回線の使用の制御は、以下のステップ、
１０ｋＨｚよりも大きな一定の周波数でのサービス（例えばＡＤＳＬ）への各アクセス要求のために上記回線（Ｄ、Ｅ）をセットアップするステップ、
上記各アクセスのために上記回線の使用時間を測定するステップ、
上記各アクセスの停止時に上記回線（ＬＴ）を切断（Ｄ、Ｅ）するステップ、
を含むことを特徴とする管理方法。
【請求項２】
上記回線（ＬＴ）の使用の制御は、１０ｋＨｚよりも大きな一定の周波数におけるサービスのための周波数から離れた周波数において、なされることを特徴とする請求項１に記載された回線の使用の管理方法。
【請求項３】
回線（ＬＴ）の使用の制御は、１０ｋＨｚよりも大きな一定の周波数におけるサービスのための周波数と同じ周波数において、なされることを特徴とする請求項１に記載された回線の使用の管理方法。
【請求項４】
上記回線は、当該回線（ＬＴ）の１０ｋＨｚよりも大きな一定の周波数内でのサービスのアクセスのために、セットアップされ、切断されることを特徴とする請求項１ないし３のいずれか１項に記載された回線の使用の制御方法。
【請求項５】
上記制御は、アクセス期間に測定される使用時間における回線の使用に対する支払いの制御を含むことを特徴とする請求項１ないし４のいずれか１項に記載された回線の使用の管理方法。
【請求項６】
上記制御は、代金請求のチェックを含むことを特徴とする請求項１ないし５の何れか１項に記載された回線の使用の管理方法。
【請求項７】
上記制御は、回線に接続した端末（Ｔ）の状態のチェックを含むことを特徴とする請求項１ないし６の何れか１項に記載された回線の使用の管理方法。
【請求項８】
上記制御は、アプリケーションソフトのダウンロードを含むことを特徴とする請求項１ないし７の何れか１項に記載された回線の使用の管理方法。
【請求項９】
上記管理方法は、
回線での不正を発見するステップ、
回線で不正を発見した場合には、当該回線を切断するステップを含むことを特徴とする請求項１ないし８の何れか１項に記載の回線の使用の管理方法。
【請求項１０】
少なくとも１つの情報通信回線、及び／または、それに接続した少なくとも１つの端末の使用の管理システムであって、
１０ｋＨｚよりも大きな一定の周波数でのサービス（例えばＡＤＳＬ）にアクセスするための要求を伴って、回線をセットアップすることのできる接続のセットアップと切断とを制御し、そして、停止時には回線を切断する制御装置（ＥかＵＲ）、
回線（ＤかＵＲ）を切断及びセットアップする装置、
上記アクセスの間の回線の使用時間を測定する装置（ＤかＵＲ）を含むことを特徴とする管理システム。
【請求項１１】
上記制御装置は、個人用装置の端末の稼働をチェックする装置を含むことを特徴とする請求項１０に記載された少なくとも１つの回線の使用の管理システム。
【請求項１２】
上記管理システムは、個人用装置との接続装置を含み、情報通信回線及び／または端末は、その接続装置に割り当てられることを特徴とする請求項１１に記載された少なくとも１つの回線の使用の管理システム。
【請求項１３】
上記制御装置と端末との間の接続装置は、低処理量回線（ＳＴＮやＩＳＤＮ）を含むことを特徴とする請求項１２に記載された少なくとも１つの回線の使用の管理システム。
【請求項１４】
上記制御装置と端末との間の接続装置は、高処理量回線（ｘＤＳＬ、例えば、ＡＤＳＬ）を含むことを特徴とする請求項１２に記載の管理システム。
【請求項１５】
上記管理システムは、１０ｋＨｚより大きな一定の周波数における少なくとも１つのサービスリンクと公衆網との間に、接続インターフェイス（Ｄ）を有することを特徴とする請求項１０ないし１４のいずれか１項に記載の管理システム。
【請求項１６】
上記インターフェイス（Ｄ）は、回線の切断及びセットアップの装置を含み、個人用装置に設置されていることを特徴とする請求項１４に記載の管理システム。
【請求項１７】
上記インターフェイス（Ｄ）は、公衆網に設置され、個人用装置から制御されることを特徴とする請求項１６に記載の管理システム。
【請求項１８】
上記制御装置（ＵＲ）は、切断及びセットアップの装置（ＣＲ）を含み、それらは個人用装置に設置されていることを特徴とする請求項１０ないし１７の何れか１項に記載の管理システム。
【請求項１９】
上記管理システムは、回線における不正の発見装置を含み、接続がセットアップされているか切断されているかをチェックする装置（ＥかＵＲ）は、不正を発見する装置により不正が発見された場合には、上記回線を切断することを特徴とする請求項１０ないし１８の何れか１項に記載の管理システム。
【手続補正２】
【補正対象書類名】明細書
【補正対象項目名】０００７
【補正方法】変更
【補正の内容】
【０００７】
現在まで、ブロードバンドサービスにアクセスするための情報通信回線、あるいは、これに繋がったブロードバンド端末の使用は、出資金を基に行われていた。そして、回線は、出資金が支払われた後セットアップされ、出資金が取り止められると切断される。請求総額は、出資金により支払われ、ブロードバンドサービスにアクセスするための回線の使用時間は考慮されない。
ＷＯ−Ａ９９−２９０６５には、ネット上での通信に対する総額請求と管理との方法が記載されている。この方法は、サービスの使用に対する総額請求とネットの使用に対する総額請求との区別を広域に渡って含んでいる。通信ネットワークは、使用されたデータ量の関数として定義され、情報通信サービスの使用に対するパラメータは、サービスの関数として定義され、請求総額は、加入者の預金口座から借方に記入される。
【国際調査報告】
2004509516.tif 000036
2004509516.tif 000037
2004509516.tif 000038
2004509516.tif 000039
2004509516.tif 000040
2004509516.tif 000041